(57)【要約】【課題】箱に収納されている状態で、コイルスプリングの大径部に他のコイルスプリングの細径部（大径部とは反対側）が食い込んでしまっている（図４参照）。その為、食い込んでしまった２個のコイルスプリングを分離しながらの挿着作業となってしまっている。又、近年においては、量産性の向上を図って機械などによって組み立てるようになってきているが、前述のような状態となってしまっている為、パーツフィーダなどを使用しても分離しにくく、意図した量産性は得られなかった。【解決手段】チップの先端開口部にボールが配置され、そのボールの後方にコイルスプリングが配置されたボールペンチップであって、前記コイルスプリングの中間部に小径部を形成すると共に、少なくとも一方の端部に座巻き部を形成したボールペンチップ。【選択図】  図１
2004351735.tif 000002
【特許請求の範囲】
【請求項１】
チップの先端開口部にボールが配置され、そのボールの後方にコイルスプリングが配置されたボールペンチップであって、前記コイルスプリングの中間部に小径部を形成すると共に、少なくとも一方の端部に座巻き部を形成したことを特徴とするボールペンチップ。
【請求項２】
チップの先端開口部にボールが配置され、そのボールの後方にコイルスプリングが配置されたボールペンチップであって、前記コイルスプリングの中間部に小径部を形成すると共に、その小径部のピッチと他の部分におけるピッチとをほぼ同一となしたことを特徴とするボールペンチップ。
【請求項３】
前記チップの後端に内方に向けてカシメ部を形成すると共に、そのカシメ部に前記コイルスプリングの後端を当接させたことを特徴とする請求項１或いは、請求項２に記載のボールペンチップ。
【請求項４】
前記ボールペンチップの後方にインキ収容部を配置すると共に、そのインク収容部に剪断減粘性を有するインキを収納したことを特徴とする請求項１〜請求項３の何れかに記載のボールペンチップ
【発明の詳細な説明】
【０００１】
【発明の属する技術分野】
本発明は、チップの先端開口部にボールが配置され、そのボールの後方にコイルスプリングが配置されたボールペンチップに関する。
【０００２】
【従来の技術】
１例として、ホルダの先端部に塗布ボールを回転可能に抱持せしめたボール式液体容器の先端チップにおいて、ホルダ内に筆圧で撓むコイルスプリングを設けると共に、このコイルスプリングの前端を延出してホルダ先端部内の液体誘導孔を通って前記ボールに圧接せしめ、かつ前記コイルスプリングの後部を大径の座巻き部とし、前記ホルダの後端をかしめて後端かしめ部を形成してなるボールペンチップが知られている（特許文献１参照）。
【０００３】
【特許文献１】
特開２０００−２０３１８７号公報（解決手段、並びに、図１など）。
【０００４】
【発明が解決しようとする課題】
ところで、前記従来の構成にあっては、コイルスプリングの後部を大径部としている為、組み立て前のコイルスプリングの分離作業が繁雑となっていた。詳述すると、一般的にコイルスプリングは、３００個〜６０００個の単位で袋、或いは、箱などに収納されており、その箱から１個ごと取り出してホルダ内に挿着している。その箱に収納されている状態で、コイルスプリングの大径部に他のコイルスプリングの細径部（大径部とは反対側）が食い込んでしまっているのである（図５参照）。そして、その食い込んでしまった２個のコイルスプリングを分離しながらの挿着作業となってしまっているのである。
又、近年においては、量産性の向上を図って機械などによって組み立てるようになってきているが、前述のような状態となってしまっている為、パーツフィーダなどを使用しても分離しにくく、意図した量産性は得られなかった。
【０００５】
【課題を解決するための手段】
本発明は、チップの先端開口部にボールが配置され、そのボールの後方にコイルスプリングが配置されたボールペンチップであって、前記コイルスプリングの中間部に小径部を形成すると共に、少なくとも一方の端部に座巻き部を形成したことを要旨とする。
【０００６】
【作用】
コイルスプリングの端部には、そのコイルスプリングの端部と同径の端部の他のコイルスプリングが当接する。
【０００７】
【実施例】
図１〜図３に本発明の１例について説明する。静的な状態においては粘度が低く、動的な状態においては粘度が高くなる、所謂、剪断減粘性を有するインキ１が収納されたインキパイプ２の先端には、ステンレスや洋白などの金属材質からなるボールペンチップ３が圧入・固着されている。ちなみに、本実施例におけるインキ粘度は、静的な状態において１４０〜２４５ｍｐａ・ｓであるが、１００〜２０００ｍｐａ・ｓのインキであっても良い。又、インキパイプ２の内径は、１．７０〜１．７８ｍｍであるが、１．５〜３．０ｍｍのインキパイプとしても良い。ここで、符号４は、前記インキ１の消費に追従する逆流防止体であって、インキパイプ２の後端からのインキ１の流出が防止されている。尚、その逆流防止体４は、シリコーングリース、ポリブテン、α−オレフィンオリゴマー、エチレン−α−オレフィンオリゴマーなどの難揮発性有機液体をゲル化したものであるが、ポリエチレンテレフタレートなどの樹脂部材であっても良い。
前記ボールペンチップ３の後部外周には、細径部５が形成されており、一方、前部前方は円錐形状部６となっている。又、ボールペンチップ３の内部には、インキ流通孔７が形成されているが、そのインキ流通孔７は後方大径部７ａと前方小径部７ｂとから構成されている。そして、その小径部７ｂの先端には吐出口８が形成されており、その吐出口８には超硬、ステンレス、セラミックス、或いは、ジルコニアなどからなるボールＢが回転自在に止着されている。
【０００８】
又、前記インキ流通溝７には、コイルスプリング９が配置されている。そのコイルスプリング９について説明する。コイルスプリング９の前方には約１巻きの座巻き部１０が形成されており、その中心からは直線部１１が前方に向けて延設形成されている。そして、その直線状部１１の先端が、前記ボールＢに当接している。つまり、その直線状部１１の当接によってボールＢが吐出部７の内周面にと当接しているのである。
一方、コイルスプリング９の中間部（後方）には、小径部１２が形成されている。ちなみに、その小径部１２の外径は、他の部分の内径よりも若干小径に形成されている。そして、その小径部１２の後方、つまり、コイルスプリング９の後端部には、約２巻きの座巻き部１３が形成されているが、その座巻き部１３の外径は前記小径部１２以外の部分と同様な外径となっている。尚、コイルスプリング９の後端部（座巻き部１３）は、ボールペンチップ３の後端部に内方に向けて円周状に形成されたかしめ部１４の内周面に当接しており、ボールペンチップ３からの脱落が防止されている。
【０００９】
次ぎに、前記コイルスプリング９のボールペンチップ３内への装着方法について説明する。先ず、かしめ部が形成されていないボールペンチップ３の後方から、そのボールペンチップ３の長さよりも長いコイルスプリング９をインキ流通孔７内へと挿着する。つまり、この状態では、コイルスプリング９の後端は、ボールペンチップ３の後端から突出した状態となっている。尚、この際、前記コイルスプリング９は、各々独立した状態にあるので容易に１個ごと分離することができる。次いで、ボールペンチップ３の後端部をかしめ治具１５によって押圧し、かしめ部を形成するが、そのかしめ治具１５の前方には、前記コイルスプリング９の小径部１２よりも若干大径な小径部１６が形成されている。即ち、そのかしめ治具１５の小径部１６を、コイルスプリング９の小径部１２に当接させ、此によって、コイルスプリング９を縮めた状態に維持することができ、その縮めた状態でかしめ部１４を形成することができるのである（図４参照）。尚、本実施例においては、前記かしめ部１４をボールペンチップ３の後端の全周に渡って形成したが、例えば、放射状に３箇所或いは４箇所といった部分的に形成しても良い。かしめ部以外の部分における前記インキパイプとの流通性が良好となり、例えば、脱泡作業をした場合には、ボールペンチップ内の泡を容易にインキパイプ内に導くことができ、除去することができるようになる。
【００１０】
尚、本発明に様に、コイルスプリングの中間部に小径部を形成することによって、ボールペンを上向きにした状態で筆記してもインキの逆流が若干阻止される為、筆記距離が伸びると共に、インキに沈降性が高い部室が含有している場合においても、前記小径部によって攪拌される為、良好な筆記が得られると言った効果も奏している。
【００１１】
【発明の効果】
本発明は、チップの先端開口部にボールが配置され、そのボールの後方にコイルスプリングが配置されたボールペンチップであって、前記コイルスプリングの中間部に小径部を形成すると共に、少なくとも一方の端部に座巻き部を形成したので、生産性に優れたボールペンチップを提供することができる。
【図面の簡単な説明】
【図１】本発明の１例を示す縦断面図。
【図２】ボールペンチップを示す拡大縦断面図。
【図３】図２の上面図。
【図４】装着方法を示す模式図。
【図５】従来例を示す外観図。
【符号の説明】
１    インキ
２    インキパイプ
３    ボールペンチップ
４    逆流防止体
５    細径部
６    円錐形状部
７    インキ流通孔
８    吐出口
９    コイルスプリング
１０  座巻き部
１１  直線状部
１２  小径部
１３  座巻き部
１４  かしめ部
１５  かしめ治具
１６  小径部
Ｂ    ボール
【図１】
2004351735.tif 000003
【図２】
2004351735.tif 000004
【図３】
2004351735.tif 000005
【図４】
2004351735.tif 000006
【図５】
2004351735.tif 000007